(57)【要約】  本発明は、情報検索において、入力した質疑語に対する検索結果を提供する時、直接実行可能な多数の情報を提供するために質疑語に関連したグループ化された単語を提供し、そのうちの１つを選択すると、その単語に含まれたイメージまたは映像情報を表示したり、ウェブページ接続情報を使用して該当サイトに接続できる言語の輪を用いた多重情報提供再生装置及び方法に関するものであって、質疑語を入力する入出力表示ウィンドウと、入力された質疑語の検索を承認する検索ボタンと、インターネットと質疑語情報がある検索エンジンデータベースと、質疑語をタイトルとして設定した情報を持っている検索質疑語情報ソースと、単語を連結子により連結した言語の輪と、単語を選択する分解キーとイメージまたは映像を表示できるイメージまたは映像表示ウィンドウとウェブブラウザを含んだ再生装置とからなるので、質疑語に対する複数のドメイン提供と電子出版物の索引及びホームページリストなどに用いられる。
2009527840.tif 000002
【特許請求の範囲】
【請求項１】
インターネット検索結果情報を言語の輪で構成して提供する方法であって、
ユーザはタイトルとこれに含む多数の単語と情報を含んだデータを検索エンジンデータベース４００に格納したり、入力するタイトル、イメージまたは映像情報、及び関連単語と接続情報をウェブブラウザの入出力表示ウィンドウ８００を通じてユーザが直接検索エンジンデータベース４００に格納する格納ステップと、
前記検索エンジンデータベース４００で質疑語の入力を受けて検索ボタンが押されると、ウェブブラウザ１０００を含むユーザのコンピュータをインターネット３００に連結し、該当するタイトルを検出する検出ステップと、
前記検索エンジンデータベース４００は、前記インターネット３００を通じて前記ウェブブラウザ１０００から前記質疑語の入力を受けて前記質疑語に該当するタイトルを検出して検索質疑語情報ソース５００を生成し、検索質疑語情報ソース５００にある情報を前記インターネット３００、及び言語の輪６００を通じてウェブブラウザ１０００の入出力表示ウィンドウ８００に単語（Ｋ１，Ｋ２，．．．Ｋｎ）の各々に含まれた情報をディスプレイさせるディスプレイステップと、
前記言語の輪６００で分解キー７００を使用して開始の最初の単語を最後の単語の後に位置するように配列したり、言語の輪６００で直接前記単語（Ｋ１，Ｋ２，．．．Ｋｎ）を選択し、選択された前記単語（Ｋ１，Ｋ２，．．．Ｋｎ）の前に表示された前記単語（Ｋ１，Ｋ２，．．．Ｋｎ）を最後の単語（Ｋ１，Ｋ２，．．．Ｋｎ）の後に位置するように水平または垂直に再配列する再配列ステップと、
選択した前記単語（Ｋ１，Ｋ２，．．．Ｋｎ）に関連した情報を検索質疑語情報ソース５００で検出した情報をイメージまたは映像表示ウィンドウ９００に表示したり、インターネット３００を通じて接続するサイト１１００に直接接続する表示及び接続ステップと、
から構成されることを特徴とするインターネット検索結果情報を言語の輪で構成して提供する方法。
【請求項２】
前記検索質疑語情報ソース５００には、検索語に対応する前記単語（Ｋ１，Ｋ２，．．．Ｋｎ）に順次に格納され、また、ＵＲＬまたはウェブページ情報は、前記単語（Ｋ１，Ｋ２，．．．Ｋｎ）に対応してウェブページ接続情報（Ｄ１，Ｄ２，．．．，Ｄｎ）に順次に、または選択的にローディングされ、イメージ情報（ｉ１，ｉ２，．．．，ｉｎ）も対応する単語（Ｋ１，Ｋ２，．．．Ｋｎ）、及びＵＲＬまたはウェブページ情報（Ｄ１，Ｄ２，．．．，Ｄｎ）に対応して順次に、または選択的に表示されるように構成されたことを特徴とする請求項１に記載のインターネット検索結果情報を言語の輪で構成して提供する方法。
【請求項３】
前記単語を本タイトルまたはＩＳＢＮを入力すると、前記第１ステップに電子ブックのページ別キーワードに関連した前記単語（Ｋ１，Ｋ２，．．．Ｋｎ）を国際標準図書分類コードであるＩＳＢＮと、ページ番号を含んだ前記単語（Ｋ１，Ｋ２，．．．Ｋｎ）と、前記単語（Ｋ１，Ｋ２，．．．Ｋｎ）を前記検索質疑語情報ソース５００に構成し、収集されたイメージまたはウェブページを表示し、ウェブページ接続情報（Ｄ１，Ｄ２，．．．，Ｄｎ）にリンクされた電子ブックまたはウェブページに直ちに接続するように構成したことを特徴とする請求項２に記載のインターネット検索結果情報を言語の輪で構成して提供する方法。
【請求項４】
言語の輪の入出力ウィンドウ８００を提供するサイトにおいて、タイトルとイメージ、または映像情報と登録するインターネットページをユーザが直接入力し作成して、インターネットを通じて送信した後、タイトルを言語の輪の入出力ウィンドウ８００に入力して、入力が確認できるように構成したことを特徴とする請求項１に記載のインターネット検索結果情報を言語の輪で構成して提供する方法。
【請求項５】
前記単語（Ｋ１，Ｋ２，．．．Ｋｎ）は、多数の外国語を列挙し、対応するウェブページ接続情報（Ｄ１，Ｄ２，．．．，Ｄｎ）を列挙させ、また対応するイメージ情報（ｉ１，ｉ２，ｉ３，．．．，ｉｎ）を列挙して、多数の外国語の入力が便利であるように構成したことを特徴とする請求項２に記載のインターネット検索結果情報を言語の輪で構成して提供する方法。
【請求項６】
前記質疑語を入力し、検索ボタン１２０を押すと、前記質疑語に対応して入出力表示ウィンドウ８００を含む検索画面がローディングされ、対応して入出力表示ウィンドウ８００には質疑語に関連した単語（Ｋ１，Ｋ２，Ｋ３，．．．，Ｋｎ）がディスプレイされるように構成され、ユーザが既に設定された質疑語を入力して置くことができる質疑語入力ウィンドウ１１０と検索ボタン１２０を含むキャラクタ１７０を通じて検索できるように構成したことを特徴とする請求項１乃至５のうち、いずれか１つに記載のインターネット検索結果情報を言語の輪で構成して提供する方法。
【請求項７】
前記キャラクタ１７０にユーザが自身のホームページまたは希望する写真などをユーザが前記検索エンジンデータベース４００に上げることができるように構成したウェブチラシボタン１６０と、
前記キャラクタ１７０の前記質疑語入力ウィンドウ１１０に自分が検索したヒストリーを見せることができるように構成した開きボタン１４０と、
前記キャラクタ１７０の前記質疑語入力ウィンドウ１１０にディスプレイされる質疑語を編集できるように構成された編集ボタン１５０と、
をさらに含むことを特徴とする請求項６に記載のインターネット検索結果情報を言語の輪で構成して提供する方法。
【請求項８】
質疑語を入力する入出力表示ウィンドウと、
インターネット上で入力質疑語を承認する検索ボタンと、
前記質疑語に対する情報を含む検索エンジンデータベースと、
質疑語をタイトルとしてセッティングした情報を具備する検索質疑語情報ソースと、
グループ化された単語と一つ以上の連結子とを連結する言語の輪と、
グループ化された単語を選択するための分解キーと、
ウェブブラウザを使用してイメージまたは映像を表示できるイメージまたは映像表示ウィンドウと、
を含むことを特徴とするインターネット検索結果情報を言語の輪で構成して提供する装置。
【発明の詳細な説明】
【技術分野】
【０００１】
本発明は、インターネット検索結果情報を言語の輪で構成して提供する方法及び装置に関し、より詳しくは、検索のためにユーザが入力した質疑語に対する結果を提供するにあたって、連結子により連結した単語を入出力表示ウィンドウに表示すると共に、単語に含まれた絵または映像情報を表示したり、提供された接続情報を用いてウェブページに直接接近することができる装置と方法に関する。
【背景技術】
【０００２】
一般に、希望する情報またはサイトを検索するために人々はポータルサイトに接続し、検索語を入力して、該当情報またはサイトを検索できるようになる。
【０００３】
この際、入力する質疑語は単語である必要はないし、字または分類番号であることができる。
【０００４】
一方、このような従来の検索方法は、検索ウィンドウに入力した質疑語に対して単語別に分解した後、“ＡＮＤ”、“ＯＲ”、“ＮＯＴ”などの演算子を用いた検索方法を使用して、ウェブ上にあるウェブページを索引して表示すると共に、類似の質疑語を提供したり、入力した質疑語のヒストリーまたは収集された文書に基づいて単語間の連関性を計算した後、視覚的な方法により数個の類似単語を表示したりする。
【０００５】
そして、質疑語と関連した単語及び単語関連度の伝達を受けて参考にすることができる多数の関連語を提供しているが、関連語をクリックすると、この関連語もまた検索されて、また検索を進行することになる。このような関連語も検索された後には通常の検索エンジンサイトが提供するウェブページにＨＴＭＬ型式でリンクされたテキストまたはイメージを選択して該当ウェブページに接続するようになる。
【０００６】
しかしながら、このような方法は、検索した後に羅列されたＨＴＭＬでユーザが最も類似していると考える一つのサイトをクリックして連結させるので、数回のクリックと１回の検索が必要であるので、検索ウィンドウを維持させるとしても、数回のクリックまたはエンターキーの入力のような過程が必要であるので、時間がたくさんかかるという問題点がある。
【０００７】
更に他の方法は、ウェブブラウザのアドレスウィンドウに自国語を入力して収集したＵＲＬアドレスをアドレスウィンドウに回答してホームページに直接接続する方法もあるが、入力された質疑語の代わりにＵＲＬアドレスが表示されるので、質疑語には使えないという問題点と、１単語１サイトという制限を含んで、多様なサブページに連結するには足りないという改善の余地も残っている。
【０００８】
このような問題点は、固有名詞や製品名、または商標登録されたものや類似する商号を使用する企業間にドメインの先占によって善意の競争を妨害する逆機能の問題点も提起されている。
【０００９】
また、検索ウィンドウに入力する質疑語が外国語の場合、特殊キーボードを使用したり、インターネット辞典サイトに接続して探した単語を使用して検索するが、多くの時間と努力が必要であり、また、複数のウィンドウを同時に開いて作業しなければならないので、コンピュータにも多くの負荷がかかるという問題点がある。
【発明の開示】
【発明が解決しようとする課題】
【００１０】
本発明は、上記のような問題点を解決するために提案されたものであって、その目的は、入出力表示ウィンドウを通じて選択された質疑語に対応する単語をまた入出力表示ウィンドウに表示し、それぞれ対応する単語に含まれたウェブページ接続情報とイメージまたは映像情報を使用して直接接続したり、表示するインターネット検索結果情報を言語の輪で構成して提供する方法及び装置を提供することにある。
【００１１】
また、本発明の他の目的は、検索語を検索すると、それに対応する外国語を同一な検索ウィンドウにディスプレイさせ、これを用いて国内または国外のサイトで検索できるので、外国語を入力する面倒さをなくしたインターネット検索結果情報を言語の輪で構成して提供する方法及び装置を提供することにある。
【００１２】
また、本発明の更に他の目的は、言語の輪に含まれた単語のみでも直観的に情報が把握できるだけでなく、単語に含まれた単語をクリックすると、既に設定されたリストの最上部にあるウェブページに直接接続できるように構成したインターネット検索結果情報を言語の輪で構成して提供する方法及び装置を提供することにある。
【００１３】
また、本発明の更なる他の目的は、物質の成分を検索すると、該当物質を生産または販売する会社のホームページを連結したり、または該当物質に対する情報を含んでいるサイト、または辞書ページに連結できるように構成したインターネット検索結果情報を言語の輪で構成して提供する方法及び装置を提供することにある。
【００１４】
また、本発明の更に他の目的は、同一な製品に象徴的な商標名で構成された商品言語の輪は、検索質疑語情報ソースを通じて同一な製品を生産する会社のホームページを配列したり、商品を基準にして提供する会社の商品紹介ページを配列して、順次に接続できるように構成したインターネット検索結果情報を言語の輪で構成して提供する方法及び装置を提供することにある。
【００１５】
本発明の更に他の目的は、電子出版物に説明する内容を補充したり、最新の情報を提供するために国際標準図書分類コードであるＩＳＢＮ（International Stan- dard Book Number）とページ番号とを合成した番号をタイトルとして作った言語の輪６００は、タイトルの意味に関わらず、出版物ページが提供する内容を拡張し、補完された資料を提供するインターネット検索結果情報を言語の輪で構成して提供する方法及び装置を提供することにある。
【課題を解決するための手段】
【００１６】
上記の目的を達成するために、インターネット検索結果情報を言語の輪で構成して提供する方法であって、ユーザは、タイトルとこれに含む多数の単語と情報を含んだデータを検索エンジンデータベースに格納したり、入力するタイトル、イメージまたは映像情報、及び関連単語と接続情報をウェブブラウザの入出力表示ウィンドウを通じてユーザが直接検索エンジンデータベースに格納する格納ステップと、検索エンジンデータベースで質疑語の入力を受けて検索ボタンが押されると、ウェブブラウザを含むユーザのコンピュータをインターネットに連結し、該当するタイトルを検出する検出ステップと、検索エンジンデータベースは、インターネットを通じて上記ウェブブラウザから質疑語の入力を受けて質疑語に該当するタイトルを検出して検索質疑語情報ソースを生成し、検索質疑語情報ソースにある情報を上記インターネット、言語の輪を通じてウェブブラウザの入出力表示ウィンドウに単語の各々に含まれた情報をディスプレイさせるディスプレイステップと、言語の輪で分解キーを使用して開始の最初の単語を最後の単語の後に位置するように配列したり、言語の輪で直接単語を選択し、選択された単語の前に表示された単語グループを最後の単語の後に位置するように水平または垂直に再配列する再配列ステップと、選択した単語に関連した情報を検索質疑語情報ソースで検出した情報をイメージまたは映像表示ウィンドウに表示したり、インターネットを通じて接続するサイトに直接接続する表示及び接続ステップと、から構成される。
【００１７】
本発明に従うインターネット検索結果情報を言語の輪で構成して提供する装置は、質疑語を入力する入出力表示ウィンドウと、インターネット上で入力質疑語を承認する検索ボタンと、上記質疑語に対する情報を含む検索エンジンデータベースと、質疑語をタイトルとしてセッティングした情報を具備する検索質疑語情報ソースと、グループ化された単語と一つ以上の連結子とを連結する言語の輪と、グループ化された単語を選択するための分解キーと、ウェブブラウザを使用してイメージまたは映像を表示できるイメージまたは映像表示ウィンドウと、を含むことを特徴とする。
【発明の効果】
【００１８】
本発明は、従来の検索エンジンの入力表示ウィンドウに質疑語を入力すると、該当入力表示ウィンドウに質疑語に対する結果及び言語の輪に含まれた単語６１０、６２０、６３０もディスプレイさせることができるように、入力表示ウィンドウを入出力表示ウィンドウで構成して、直観的に情報が把握できるだけでなく、単語に含まれたウェブページ接続情報を使用して直接ウェブページに接続することができる効果がある。
【００１９】
また本発明は、別途の外国語キーボードなしで、表示された質疑語を翻訳して配列した外国語の言語の輪をディスプレイさせ、該当外国語を質疑語に直ちに使用できるだけでなく、対応するサイトに直ちに連結させることができる効果がある。
【００２０】
また本発明は、物質の成分を提供する言語の輪その自体が目的の検索結果でもあるが、提供された物質を生産または販売する会社のホームページを連結したり、物質の成分やこれを用いて生産される製品に対して一貫的で、かつ集中的な情報検索をすることができる効果がある。
【００２１】
また本発明は、同一な製品に象徴的な商標名で構成された商品言語の輪６００は、検索質疑語情報ソース５００を通じて同一な製品を生産する会社のホームページを配列したり、商品を基準にして提供する会社の商品紹介ページを配列して接続する多数の接続ドメインを提供することができる効果がある。
【００２２】
また本発明は、電子出版物に説明する内容を補充したり、最新の情報を提供するために、国際標準図書分類コードであるＩＳＢＮとページ番号を合成した番号をタイトルとして作った言語の輪６００は、タイトルの意味に関わらず、出版物ページが提供する内容を拡張し、補完された資料を提供する多様なウェブページに接続して参照できるようにする効果がある。
【００２３】
また本発明は、検索ウィンドウをキャラクタで構成し、キャラクタの質疑語入力ウィンドウに質疑語を入力すると、該当質疑語に対応するサイトに直ちに接続できるようにするので、非常に速く希望するサイトに接続し、審美的にもキャラクタを用いて構成するので、ユーザに親近感を与える効果がある。
【００２４】
前述したように、本発明は検索のためにユーザが入力した質疑語に対する結果を提供するにあたって、連結子により連結した単語を入出力表示ウィンドウに表示すると共に、単語に含まれた絵または映像情報を表示したり、提供された接続情報を用いてウェブページに直接接近することができる装置と方法を提供する。
【発明を実施するための最良の形態】
【００２５】
以下、添付された図面を参照しつつ本発明の構成についてより詳細に説明する。
【００２６】
図１乃至図１４を参照すると、本発明はインターネット３００のようなＷＡＮ（Wide Area Network）に連結されたウェブブラウザ１０００、検索質疑語情報ソース５００、及び検索エンジンデータベース４００等から構成され、ウェブブラウザ１０００及びインターネット３００に連結された言語の輪６００と分解キー７００とから構成され、言語の輪６００と分解キー７００とは緊密に連結されている。
【００２７】
図１を参照すると、まずユーザは、タイトル、及びこれに含む多数の単語と情報を含んだデータを検索エンジンデータベース４００に格納したり、入力するタイトルとこれに対応する単語、イメージ、または映像情報と関連単語と接続情報をウェブブラウザの入出力表示ウィンドウ８００を通じてユーザが直接検索エンジンデータベース４００に格納する（ステップ１０２）。
【００２８】
検索エンジンデータベース４００から質疑語の入力を受けて（ライン１）検索ボタン（ライン２）が押されると、ウェブブラウザ１０００を含むユーザのコンピュータをインターネット３００に連結し（ライン３）、該当するタイトルを検出して、水平配列の場合は単語が区分できるように連結子で連結したり、垂直配列の場合は単語を縦に構成してライン変更を連結子として使用する（ステップ１０４）。
【００２９】
検索エンジンデータベース４００は、インターネット３００を通じてウェブブラウザ１０００から質疑語の入力を受けて（ライン４）、質疑語に該当するタイトルを検出して検索質疑語情報ソース５００を生成し（ライン５）、検索質疑語情報ソース５００にある情報をインターネット３００、言語の輪６００を通じて（ライン５、ライン６、ライン７）ウェブブラウザ１０００の入出力表示ウィンドウ８００に単語の各々に含まれた情報をディスプレイさせる（ステップ１０６）。
【００３０】
言語の輪６００で分解キー７００を使用して開始の最初の単語を最後の単語の後に位置するように配列したり、言語の輪６００で直接単語を選択し、選択された単語の前に表示された単語グループを最後の単語の後に位置するように水平または垂直に再配列する（ライン１１）（ステップ１０８）。
【００３１】
選択した単語に関連した情報を検索質疑語情報ソース５００で検出した情報（ライン８）Ｚをイメージまたは映像表示ウィンドウ９００に表示したり（ライン９）、インターネット３００を通じて接続するサイト１１００に直接接続する（ステップ１１０）。
【００３２】
図２を参照すると、タイトル及びこれに含む多数の単語と情報を含んだデータを検索エンジンデータベース４００に格納したり、入力するタイトルと単語、イメージまたは映像情報、及び関連単語と接続情報をウェブブラウザの入出力表示ウィンドウ８００を通じてユーザが直接検索エンジンデータベース４００に格納するタイトル格納方法を示す。
【００３３】
検索エンジンデータベース４００は、多数のスレッドを有するデータベースを格納している。検索エンジンデータベース４００は、横方向に整列されたロー（Row）と縦方向に整列されたコラム（Column）で構成され、周知のように関係型データベース形態で構成されるので、ロー単語（Ｋ１，Ｋ２，．．．Ｋｎ）グループを選択して再配列可能である。
【００３４】
ユーザがクライアントコンピュータのウェブブラウザ１０００及び入出力表示ウィンドウ８００を通じて質疑語入力１００すると、該当質疑語に対応する単語（Ｋ１，Ｋ２，．．．Ｋｎ）がローディングされると共に、最上部のタイトルに対応するサイト（D１）がローディングされ、該当タイトルに対応する単語（Ｋ１）に対応するイメージ（ｉ１）がディスプレイされる。
【００３５】
検索質疑語情報ソース５００には検索語に対応する単語であるＫ１，Ｋ２，．．．Ｋｎに順次に格納され、この単語は重複される場合もある。また、ＵＲＬまたはウェブページ情報は、単語（Ｋ１，Ｋ２，．．．Ｋｎ）に対応してウェブページ接続情報（Ｄ１，Ｄ２，．．．，Ｄｎ）に順次に格納されて順次に、または選択的にローディングされる。また、イメージ情報も対応する単語（Ｋ１，Ｋ２，．．．Ｋｎ）及びＵＲＬまたはウェブページ情報（Ｄ１，Ｄ２，．．．，Ｄｎ）に対応して、ｉ１，ｉ２，ｉ３，．．．，ｉｎに順次に格納されて表示される。図２の左側に表示された順序図は、後述する図５、及び図７乃至図１０の検索質疑語情報ソース５００を構成する一実施形態を示す順序図であって、各検索語に従って図１２Ａに図示された検索ウィンドウにディスプレイされる単語（Ｋ１，Ｋ２，．．．Ｋｎ）、ＵＲＬ、またはウェブページ情報（Ｄ１，Ｄ２，．．．，Ｄｎ）、及びイメージ情報（ｉ１，ｉ２，．．．，ｉｎ）を入力する過程を示す。
【００３６】
図３Ａ及び図３Ｂを参照すると、本発明に係る専用の入出力表示ウィンドウ８００に質疑語を入力する時に接続できるようにウェブページを作成し、検索エンジンデータベース４００にタイトルと単語情報を入力して、言語の輪６００の一定位置に直接接続情報を登録し確認する接続ドメイン登録表示ウィンドウを表している。図３Ａは入力ウィンドウであり、ユーザが認証される場合のみにウェブチラシを検索エンジンデータベース４００に登録することができる。これは、既存のユーザ、一定の費用を支払ったユーザ及び管理者などになることができる。
【００３７】
ウェブチラシは、ユーザが自身のホームページまたは希望する写真などを容易に検索エンジンデータベース４００に上げることができる所であって、ウェブチラシを用いて容易に広告、弘報、及び掲示板の形態にも使用することができる。
【００３８】
図３Ｂは、図３Ａの左半部をさらに拡大して示す図であって、認証部分を除いて、ユーザがウェブページまたはＵＲＬ、商号、リスト分類、イメージ、及びＨＴＭＬを入力する部分がより詳細に図示されている。
【００３９】
図４Ａ及び図４Ｂを参照すると、検索エンジンデータベース４００から質疑語入力１００を受けて質疑語に該当するタイトルを検出して、水平配列の場合は単語が区分できるように分解キー７００を用いて連結子として連結したり、垂直配列の場合はライン変更を連結子として使用するようにする。
【００４０】
前述したように、それぞれの単語（Ｋ１，Ｋ２，Ｋ３，．．．，Ｋｎ）は、ＵＲＬまたはウェブページ情報（Ｄ１，Ｄ２，Ｄ３，．．．，Ｄｎ）及びイメージ情報（ｉ１，ｉ２，．．．，ｉｎ）に対応してあるので、図４Ａの場合には入出力表示ウィンドウ８００の右側にある特定キー、例えば図１２Ａに図示されている場合には“Plusキー”を押すと、次の単語（Ｋ１，Ｋ２，Ｋ３，．．．，Ｋｎ）に移ることになる。言い換えると、Ｋ１単語に対応するウェブページがディスプレイされている状態で“Plusキー”を押すと、Ｋ２に対応するウェブページがディスプレイされる。図４Ａは、横方向に単語を順次に表示する場合であるので、対応するサイトに移るにはジャンピングして他の単語をクリックすることが不可能である。例えば、Ｋ１単語でＫ３単語に対応するウェブページをローディングするには、必ずＫ２に対応するサイトを経なければならない。しかしながら、図４Ｂに示すように、分解キーにより検索された単語を縦方向に整列させると、希望する単語（Ｋ１，Ｋ２，Ｋ３，．．．，Ｋｎ）をマウスなどでクリックして、対応するウェブページ情報（Ｄ１，Ｄ２，Ｄ３，．．．，Ｄｎ）及びイメージ情報（ｉ１，ｉ２，．．．，ｉｎ）をローディング及びディスプレイさせることができる。
【００４１】
そして、図４Ｂに示すように、入出力表示ウィンドウ９００は入力ウィンドウと出力ウィンドウの２つに分けて表示することもできる。
【００４２】
図５、及び図７乃至図１０を参照すると、各々“キムチチゲ材料”、“韓国の文化財”、“原子番号７７”、“冷蔵庫”、及び“７２９４−０８−０００２−０”に対応する検索質疑語情報ソース５００を示す。
【００４３】
まず図５は、検索語を“キムチチゲ材料”と入力すると、Ｋ１に対応する単語である“キムチ”、Ｋ２に対応する“豚肉”、Ｋ３に対応する“ネギ”、Ｋ４に対応する“ニンニク”、及びＫ５に対応する“豆腐”が順次に横方向または縦方向にディスプレイされる。即ち、言語の輪６００は、検索エンジンデータベース４００でタイトル“キムチチゲ材料”に対応して定義された単語である“キムチチゲ材料”、“キムチ”、“豚肉”、“ネギ”、“ニンニク”、“豆腐”などを“＋”の連結子６１１、６２１を使用して“キムチ＋豚肉＋ネギ＋ニンニク＋豆腐”のように単語で連結させてディスプレイする。そして、分解キー７００を選択すると、開始単語である“キムチ”を最後の単語である“豆腐”の後に移動された“豚肉＋ネギ＋ニンニク＋豆腐＋キムチ”に再配列して入出力表示ウィンドウ８００に表示し、検索質疑語情報ソース５００で開始単語である“豚肉”に含まれた情報を抽出して、イメージまたは映像情報がある場合、イメージまたは映像表示ウィンドウ９００に表示し、ウェブページ接続情報はインターネット３００を通じてＫ２の単語である“豚肉”に該当するウェブページに直ちに接続する。
【００４４】
図７を参照すると、“韓国の文化財”を検索語として入力すると、
2009527840.tif 000003
のように単語を連結させてディスプレイする。この際、例には、“韓国語＋漢文＋英語＋日本語”の順に配列したが、他の順に配列することもでき、その他の外国語をさらに添加して配列させることができる。したがって、このように構成することで、別途の外国語キーボードなしで、表示された質疑語を翻訳して配列した外国語の言語の輪６００は、外国語質疑語として直ちに使用することができる。
【００４５】
図８を参照すると、“原子番号７７”を検索語として使用して検索ウィンドウに入力すると、
2009527840.tif 000004
の順に配列される。この際、図面ではウェブページ検索情報がないことと表れている。しかしながら、“原子番号７７”はその自体が目的の検索結果でもあるが、提供された物質を生産または販売する会社のホームページを連結したり、物質の成分やこれを用いて生産される製品に対し、一貫的で、かつ集中的な情報検索ができるようにリンクさせることもできる。
【００４６】
図９を参照すると、“冷蔵庫”を検索語として使用して検索ウィンドウに入力すると、
2009527840.tif 000005
が順次にディスプレイされるようにする。即ち、冷蔵庫という商品を提供する会社の商品紹介ページを配列して接続する多数の接続ドメインを提供することもできる。
【００４７】
図１０を参照すると、ＩＳＢＮ番号である“７２９４−０８−０００２−０”を入力すると、該当ＩＳＢＮ番号に対応する本タイトルに対応する“景福宮紀行列伝”という本が対応される。そして、“景福宮紀行列伝”に対応する関連検索語が配列される。その配列は、“景福宮紀行列伝＋景福宮＋光化門市民オープン広場＋ソウル清渓川＋鍾路区庁”の順に配列される。
【００４８】
そして、図１１Ａ乃至図１１Ｄを参照すると、図７の
2009527840.tif 000006
の順に検索質疑語情報ソース５００に対応するウェブページ接続情報が順次にディスプレイされている。即ち、図１１Ａ乃至図１１Ｄの各々は、文化観光部内の韓国語、中国語、英語、及び日本語サイトが順次に対応してローディングされていることを表している。
【００４９】
図１２Ａ及び図１２Ｂを参照すると、入出力表示ウィンドウに“キムチチゲ材料”を入力し、検索ボタンを押すと、該当タイトルに対応する単語（Ｋ１，Ｋ２，Ｋ３，．．．，Ｋｎ）である“キムチチゲ材料”、“キムチ”、“豚肉”、“ネギ”、“ニンニク”、“豆腐”が区分子の“＋”を各々間に置いてディスプレイされる。
【００５０】
それぞれの単語（Ｋ１，Ｋ２，Ｋ３，．．．，Ｋｎ）は、ＨＴＭＬリンクのように該当サイトに対応して結びついているので、“PLUS”ボタンを押すと、次の単語、即ち、“キムチ”が最初に出て、“キムチチゲ材料”は最後に移ることになる。そして、該当単語をマウスなどにより押すと、該当サイトに接続するようにすることができる。図１２Ｂは、“キムチチゲ材料”に対応するサイトの画面を表している。
【００５１】
図１３を参照すると、入出力表示ウィンドウ８００に“景福宮紀行列伝”に対応するＩＳＢＮを入力すると、“景福宮紀行列伝”に対応する本のウェブページ接続情報に対応するウェブアドレスが対応してディスプレイされ、そのウェブアドレスは本の内容がディスプレイされるように構成することができる。
【００５２】
図１４を参照すると、キャラクタ形態で構成した実施形態であり、プログラム形態で設置可能にした。質疑語を質疑語入力ウィンドウ１１０に入力し、検索ボタン１２０を押すと、質疑語に対応して入出力表示ウィンドウ８００を含む検索画面がローディングされ、対応して入出力表示ウィンドウ８００には質疑語に関連された単語（Ｋ１，Ｋ２，Ｋ３，．．．，Ｋｎ）がディスプレイされる。そして、最初にある単語に対応するサイトに直ちに連結される。例えば、図１２Ａ及び図１２Ｂを通じて説明されたように、“キムチチゲ材料”を入力した場合は、図１２Ｂにディスプレイされたサイトに直ちに接続される。キャラクタ１７０を終了しようとする場合は、閉じボタン１３０を押して終了することができる。
【００５３】
そして、質疑語入力ウィンドウ１１０の右側矢印をクリックすると、該当キャラクタ１７０に対応する検索語が既に設定されている。例えば、“新聞”、“放送”、“交通”、“国旗”などが縦に配列され、該当質疑語をクリックすると、対応するサイトに直ちに連結される。例えば、新聞をクリックすると、国内外で発行される全ての新聞が順次に配列されるように構成された画面がディスプレイされるようにすることができる。しかしながら、このような既に設定された検索語を検索せず、以前にユーザが検索した質疑語を検索しようとする場合は、開きボタン１４０をクリックして、以前にユーザが検索したヒストリーを確認し、または、また該当ヒストリーに対応する質疑語を検索することができる。
【００５４】
編集ボタン１５０は、質疑語入力ウィンドウ８００にディスプレイされる質疑語を編集することができる。例えば、全ての形態のテキスト文書を編集すると、これを読み取るようにして編集することができる。
【００５５】
ウェブチラシボタン１６０は、図３Ａ及び図３Ｂに説明されたウェブチラシに直ちに連結するボタンである。このように、検索エンジンの一部分をキャラクタ１７０として取って背景画面などに設置して置くと、希望するサイトに直ちに連結することができる。例えば、従来には検索エンジンを開いて該当検索エンジンに質疑語を入力したり、またはよく接続するサイトの場合にはお気に入りでクリックして該当サイトをローディングできるが、このようなキャラクタ１７０を利用すると、希望するサイトに直ちに接続できるだけでなく、データベースで構成されている検索エンジンデータベース４００の単語（Ｋ１，Ｋ２，．．．Ｋｎ）のグループをタイトルとして選択できる多様なキャラクタを通じて検索することができる。
【図面の簡単な説明】
【００５６】
【図１】本発明の一実施形態に従うインターネット検索結果情報を言語の輪で構成して提供する再生装置の動作を示すブロック構成図である。
【図２】本発明の一実施形態に従ってデータベースに関連単語とイメージ映像情報を入力し配列する構造を示す構造図である。
【図３Ａ】ユーザが接続情報を登録し確認する接続ドメインの一実施形態を示す画面である。
【図３Ｂ】ユーザが接続情報を登録し確認する接続ドメインの一実施形態を示す画面である。
【図４Ａ】本発明の一実施形態に従って質疑語をタイトルとして作った言語の輪と分解キーを使用して選択した単語を基準にして再配列した一実施形態を示す画面である。
【図４Ｂ】本発明の一実施形態に従って質疑語をタイトルとして作った言語の輪と分解キーを使用して選択した単語を基準にして再配列した一実施形態を示す画面である。
【図５】本発明の一実施形態に従って“キムチチゲ材料”で言語の輪を構成した検索質疑語情報ソースの構成表の一実施形態である。
【図６】本発明の一実施形態に従って入出力表示ウィンドウに“キムチチゲ材料”を入力して再生する全過程を説明する順序図である。
【図７】本発明の一実施形態に従って自国語と外国語とから構成した検索質疑語情報ソースの構成表の一実施形態である。
【図８】本発明の一実施形態に従う物質に対する検索質疑語情報ソースの構成表の一実施形態である。
【図９】商品で構成した検索質疑語情報ソースの構成表の一実施形態である。
【図１０】国際標準図書分類コードであるＩＳＢＮと出版物のページ番号で作った検索質疑語情報ソースの構成表の例である。
【図１１Ａ】本発明の図７に従う言語の輪を入出力表示ウィンドウに表示し、各々順次にＵＲＬ接続情報により検索されたサイトを表示した画面の一実施形態である。
【図１１Ｂ】本発明の図７に従う言語の輪を入出力表示ウィンドウに表示し、各々順次にＵＲＬ接続情報により検索されたサイトを表示した画面の一実施形態である。
【図１１Ｃ】本発明の図７に従う言語の輪を入出力表示ウィンドウに表示し、各々順次にＵＲＬ接続情報により検索されたサイトを表示した画面の一実施形態である。
【図１１Ｄ】本発明の図７に従う言語の輪を入出力表示ウィンドウに表示し、各々順次にＵＲＬ接続情報により検索されたサイトを表示した画面の一実施形態である。
【図１２Ａ】本発明の図５に従う“キムチチゲ材料”と関連した言語の輪を入出力表示ウィンドウに表示し、検索質疑語情報ソースの最上部に構成されたＵＲＬをディスプレイした画面の一実施形態である。
【図１２Ｂ】本発明の図５に従う“キムチチゲ材料”と関連した言語の輪を入出力表示ウィンドウに表示し、検索質疑語情報ソースの最上部に構成されたＵＲＬをディスプレイした画面の一実施形態である。
【図１３】本発明の一実施形態に従ってＩＳＢＮと出版物のページ番号で作ったタイトルと、これに対応する単語の構成例と、該ウェブページに移動した画面の一実施形態である。
【図１４】本発明の一実施形態に従って入出力表示ウィンドウを構成した他の実施形態を示す画面である。
【図１】
2009527840.tif 000007
【図２】
2009527840.tif 000008
【図３Ａ】
2009527840.tif 000009
【図３Ｂ】
2009527840.tif 000010
【図４Ａ】
2009527840.tif 000011
【図４Ｂ】
2009527840.tif 000012
【図５】
2009527840.tif 000013
【図６】
2009527840.tif 000014
【図７】
2009527840.tif 000015
【図８】
2009527840.tif 000016
【図９】
2009527840.tif 000017
【図１０】
2009527840.tif 000018
【図１１Ａ】
2009527840.tif 000019
【図１１Ｂ】
2009527840.tif 000020
【図１１Ｃ】
2009527840.tif 000021
【図１１Ｄ】
2009527840.tif 000022
【図１２Ａ】
2009527840.tif 000023
【図１２Ｂ】
2009527840.tif 000024
【図１３】
2009527840.tif 000025
【図１４】
2009527840.tif 000026
【国際調査報告】
2009527840.tif 000027
2009527840.tif 000028